(57)【特許請求の範囲】
【請求項１】
手差しトレイ側へ取り付けられるブラケットと、このブラケットを回転可能に支持すべく事務機器側に取り付けられるヒンジシャフトと、前記ブラケットの回転中心の外側に設けられた湾曲ガイド溝に挿通させた旋回シャフトと、この旋回シャフトの一端部側に固定させて前記ヒンジシャフトと係合させた係止プレートと、前記旋回シャフトの他端部側に固定させた固定ワッシャーと、この固定ワッシャーと前記ブラケットの間、及び前記係止プレートと前記ブラケットの間に設けたフリクション機構とで構成したことを特徴とする、事務機器の開閉装置。
【請求項２】
手差しトレイ側へ取り付けられるブラケットと、このブラケットを回転可能に支持すべく事務機器側に取り付けられるヒンジシャフトと、前記ブラケットの回転中心の外側に設けられた湾曲ガイド溝に挿通させた旋回シャフトと、この旋回シャフトの一端部側に固定させて前記ヒンジシャフトと係合させた係止プレートと、前記旋回シャフトの他端部側に固定させた固定ワッシャーと、この固定ワッシャーと前記ブラケットの間、及び前記係止プレートと前記ブラケットの間に設けたフリクション機構と、前記ブラケットと前記旋回シャフトとの間に設けたリンク機構とで構成したことを特徴とする、事務機器の開閉装置。
【請求項３】
前記ブラケットと前記係止プレートとが、前記ヒンジシャフトに対して脱着可能に取り付けられることを特徴とする、請求項１に記載の事務機器の開閉装置。
【請求項４】
前記ブラケットと前記係止プレートとが、前記ヒンジシャフトに対して脱着可能に取り付けられることを特徴とする、請求項２に記載の事務機器の開閉装置。
【請求項５】
前記フリクション機構が、前記係止プレートと前記ブラケットとの間、及び前記ブラケットと前記固定ワッシャーとの間に前記旋回シャフトをそれぞれその中心部軸方向に設けた挿通孔へ挿通させて設けたフリクションプレートとスプリングワッシャーとで構成したことを特徴とする、請求項１に記載の事務機器の開閉装置。
【請求項６】
前記フリクション機構が、前記ブラケットと前記係止プレートの間、前記係止プレートと固定ワッシャーの間、及び前記リンク機構のリンクプレートと前記ブラケットの間にその各中心部軸方向に設けた挿通孔へ前記旋回シャフトを挿通させて設けたフリクションプレートとスプリングワッシャーとで構成したことを特徴とする、請求項２に記載の事務機器の開閉装置。
【請求項７】
前記リンク機構が、前記旋回シャフトにその一端部側を固定させたリンクプレートと、このリンクプレートの他端部に取り付けられ前記ブラケットに設けたリンクガイド溝に係合させたリンクピンと、で構成したことを特徴とする、請求項２に記載の開閉装置。
【請求項８】
請求項１〜７に各記載の開閉装置を、装置本体と手差しトレイとの間に設けたことを特徴とする、事務機器。
【発明の詳細な説明】
【技術分野】
【０００１】
本発明は、複写機、印刷機、ファクシミリ、スキャナ等の事務機器のとくに手差しトレイの開閉用に用いて好適な開閉装置並びにこの開閉装置を用いた事務機器に関する。
【背景技術】
【０００２】
上述した各種事務機器には、葉書、封筒、厚紙等のようなＢ５、Ａ４、Ｂ４、Ａ３以外の規定外の用紙へ年賀状のような季節の挨拶文や、お知らせや、各催事の知らせ等を行うために、これらの規定外の用紙を事務機器内へ送り込む給紙部が事務機器の側部に設けられており、この給紙部へ送り込むための用紙を載置する手差しトレイが前記給紙部に対応して、上下方向へ開閉可能に取り付けられている。この手差しトレイは、普段は閉じられているが、使用時に外側へ開かれ、その上に用紙を載置し、給紙部へ規定外の用紙を送り込むものである。
【０００３】
このような事務機器の手差しトレイの開閉装置として、下記特許文献１に記載されたものが公知である。
【先行技術文献】
【特許文献】
【０００４】
【特許文献１】特開２００８−１５０１３３号公報
【発明の概要】
【発明が解決しようとする課題】
【０００５】
上述した従来公知の手差しトレイの開閉装置は、給紙部の入口に手差しトレイを開閉装置を介して開閉可能に取り付け、使用時に手差しトレイを開いて当該手差しトレイの上に用紙を載置させて給紙部より装置本体内へ送り込み、不使用時には手差しトレイを閉じておくようになっている。開閉装置は手差しトレイの両側部を給紙部の入口にヒンジシャフトを介して開閉可能に取り付けた上で、その開成角度を規制するために連結部材を手差しトレイの側部と給紙部の入口との間に連結させてある。
【０００６】
したがって、手差しトレイの開成時に少し開いて手を離すと、加速度がついて手差しトレイの取付側端部が装置本体に強く当り、「バタン」という大きな衝撃音を立てるという問題があった。
【０００７】
本発明の目的は、とくに開成時に衝撃音を立てないように工夫した事務機器の手差しトレイの開閉装置並びにこの開閉装置を用いた事務機器を提供せんとするにある。
【課題を解決するための手段】
【０００８】
上述した目的を達成するために、本発明は、手差しトレイ側へ取り付けられるブラケットと、このブラケットを回転可能に支持すべく事務機器側に取り付けられるヒンジシャフトと、前記ブラケットの回転中心の外側に設けられた湾曲ガイド溝に挿通させた旋回シャフトと、この旋回シャフトの一端部側に固定させて前記ヒンジシャフトと係合させた係止プレートと、前記旋回シャフトの他端部側に固定させた固定ワッシャーと、この固定ワッシャーと前記ブラケットの間、及び前記係止プレートと前記ブラケットの間に設けたフリクション機構とで構成したことを特徴とする。
【０００９】
本発明はまた、手差しトレイ側へ取り付けられるブラケットと、このブラケットを回転可能に支持すべく事務機器側に取り付けられるヒンジシャフトと、前記ブラケットの回転中心の外側に設けられた湾曲ガイド溝に挿通させた旋回シャフトと、この旋回シャフトの一端部側に固定させて前記ヒンジシャフトと係合させた係止プレートと、前記旋回シャフトの他端部側に固定させた固定ワッシャーと、この固定ワッシャーと前記ブラケットの間、及び前記係止プレートと前記ブラケットの間に設けたフリクション機構と、前記ブラケットと前記旋回シャフトとの間に設けたリンク機構とで構成したことを特徴とする。
【００１０】
本発明は、前記ブラケットと、前記ヒンジシャフトと、前記旋回シャフトと、前記係止プレートと、前記固定ワッシャーと、前記フリクション機構とで構成し、さらに、前記ブラケットと前記係止プレートとが、前記ヒンジシャフトに対して脱着可能に取り付けられることを特徴とする。
【００１１】
本発明は、前記ブラケットと、前記ヒンジシャフトと、前記旋回シャフトと、前記係止プレートと、前記固定ワッシャーと、前記フリクション機構と、前記リンク機構とで構成し、さらに、前記ブラケットと前記係止プレートとが、前記ヒンジシャフトに対して脱着可能に取り付けられることを特徴とする。
【００１２】
本発明はさらに、前記フリクション機構が、前記係止プレートと前記ブラケットとの間、及び前記ブラケットと前記固定ワッシャーとの間に前記旋回シャフトをそれぞれその中心部軸方向に設けた挿通孔へ挿通させて設けたフリクションプレートとスプリングワッシャーとで構成したことを特徴とする。
【００１３】
本発明はさらに、前記フリクション機構が、前記ブラケットと前記係止プレートの間、前記係止プレートと固定ワッシャーの間、及び前記リンク機構のリンクプレートと前記ブラケットの間にその各中心部軸方向に設けた挿通孔へ前記旋回シャフトを挿通させて設けたフリクションプレートとスプリングワッシャーとで構成したことを特徴とする。
【００１４】
前記リンク機構が、前記旋回シャフトにその一端部側を固定させたリンクプレートと、このリンクプレートの他端部に取り付けられ前記ブラケットに設けたリンクガイド溝に係合されたリンクピンとで構成したことを特徴とする。
【００１５】
そして本発明は、上記に記載の各開閉装置を、事務機器の装置本体と手差しトレイとの間に設けたことを特徴とする。
【発明の効果】
【００１６】
本発明は以上のように構成したので、手差しトレイに取り付けたブラケットが当該手差しトレイの開閉動作と共に給紙部の入口に取り付けたヒンジシャフトの軸回りに回転し、その際にブラケットに作用させたフリクション機構によって急激に開かれることがないので、手差しトレイがバタンと音を立てて開かれることを有効に防止できる上に、手差しトレイを給紙部に対して脱着できるので、給紙部の修理、点検が容易にでき、さらに、紙詰まりの際に詰まった用紙を容易に取り外すことができるものである。また、ブラケットと係止プレートの双方に設けたフリクション機構に加えてリンク機構を設け、このリンク機構にもフリクション機構を設けたものは、係止プレート及びブラケットの側に創出されるフリクショントルクに加えて、リンク機構の側にもフリクショントルクが創出されるので、同じスペースでより高いフリクショントルクを創出できた上で、開閉フィーリングを滑らかなものにでき、さらに、より一層手差しトレイが急速に開かれることを防止できるものである。
【図面の簡単な説明】
【００１７】
【図１】本発明に係る開閉装置を用いた事務機器の斜視図である。
【図２】本発明に係る事務機器の開閉装置を側面から見た説明図である。
【図３】図２に示した開閉装置を開いて見た説明図である。
【図４】図２に示した開閉装置の拡大図である。
【図５】図２に示した開閉装置の動作を説明する説明図である。
【図６】図２に示した開閉装置の分解斜視図である。
【図７】本発明に係る開閉装置の他の実施例を示す分解斜視図である。
【図８】図７に係る開閉装置の閉成時のフリクション機構の動作を説明する説明図である。
【図９】図７に係る開閉装置の開成時のフリクション機構の動作を説明する説明図である。
【図１０】図７に係る開閉装置の閉成時のリンク機構の動作を説明する説明図である。
【図１１】図７に係る開閉装置の開成時のリンク機構の動作を説明する説明図である。
【発明を実施するための形態】
【００１８】
以下に本発明の好適な実施例を図面に基づいて詳細に説明する。
【００１９】
以下の説明では、事務機器の１例として複写機を挙げているが、複写機に限定されず、印刷機、ファクシミリ、スキャナー等の複写機以外の事務機器に実施することができるものである。また、本発明は、手差しトレイの開閉装置以外にも、修理点検時や紙詰まりなどの際に事務機器内部を点検する点検用扉等にも実施できるものである。
【実施例１】
【００２０】
図1において、指示記号１で示したものは例えば複写機であり、この複写機１の上面には原稿自動送り装置付きの原稿圧着板２が図示してないヒンジ装置を介して上下方向へ開閉可能に取り付けられている。複写機１の下部前側には、例えばＢ５、Ａ４、Ｂ４、Ａ３といった使用頻度の高い規定用紙を収容させた規定用紙給紙部３が設けられており、複写機１の右側部に設けられた規定外用紙給紙部４の入口４ａには手差しトレイ５が矢印のＡで囲われた部分において、開閉装置６、６（一方のみ表示）を介して上下方向へ開閉可能に取り付けられている。手差しトレイ５の上面には、さまざまなサイズの用紙に対応するため、一対のガイド部材５ａ、５ａが給紙方向と直交する方向へ移動調節可能に取り付けられている。
【００２１】
尚、規定外用紙給紙部４に規定用紙を給紙できないという意味ではない。それは複写機１の下部前側に設けた規定用紙給紙部３で給紙される以外の用紙を給紙する給紙部という意味である。手差しトレイ５の構成は、省略して図示してあるが、その構成に限定はない。要するに、補助的に給紙する用紙を載置するものであれば足りる。大判の用紙に対応するためにさらに補助トレイを付けたものもある。
【００２２】
開閉装置６、６は、手差しトレイ５の両側部に一対設けられるが、実施例１のものは左右同じ構成のものであるので、給紙方向に対して左側に位置する開閉装置６について以下に説明する。がしかし、左側のものを右側のものとは異なる構成とすることは任意である。
【００２３】
図面によれば、図２乃至図６において、複写機１の正面に立って右側部に設けた規定外用紙給紙部４の入口４ａの側部の内側には、変形部７ａとフランジ部７ｂと雄ネジ部７ｃとを有するヒンジシャフト７が、雄ネジ部７ｃを入口４ａに設けた図示してない雌ネジ部にネジ着させることにより取り付けられており、このヒンジシャフト７にその一端に設けた連結孔８ａを挿通させてブラケット８が回転可能に取り付けられている。
【００２４】
ヒンジシャフト７は、さらにフランジ部７ｂへ複数の取付孔を設けて、この取付孔を通した取付ネジで規定外用紙給紙部４の入口４ａの内側へ固定させる構成とすることもでき、給紙部への取り付け方に限定はない。
【００２５】
ブラケット８の連結孔８ａには、とくに図６に示したように、その一部を切り欠くことによって外方向から連結孔８ａに至る挿通溝８ｂが設けられ、この挿通溝８ｂをヒンジシャフト７の変形部７ａへ当てがいブラケット８を手差しトレイ５ごと押し込むことにより、ヒンジシャフト７がブラケット８の連結孔８ａに対して回転可能に連結される構成である。
【００２６】
ブラケット８の一端部に設けた連結孔８ａ回りには、湾曲した湾曲ガイド溝８ｃが設けられると共に、他端部側には取付孔８ｄ、８ｄが設けられ、この取付孔８ｄ、８ｄを介して取付ネジ９、９で手差しトレイ５の側部へ固定させる構成である。ブラケット８は途中で折り曲げられているが、これは手差しトレイ５の形状に合わせたものである。
【００２７】
フリクション機構１０は、ブラケット８の湾曲ガイド溝８ｃに挿通させた旋回シャフト１１と、この旋回シャフト１１をその各中心部に設けた挿通孔１２ａ、１３ａへ挿通させてブラケット８の両側に配置した第１フリクションプレート１２及び第２フリクションプレート１３と、第２フリクションプレート１３の側にその中心部に設けた挿通孔１４ａに旋回シャフト１１を挿通させて設けたスプリングワッシャー１４と、このスプリングワッシャー１４に接してその中心部に設けた固定孔１５ａに旋回シャフト１１を挿通させて設けた固定ワッシャー１５と、第１フリクションプレート１２に接してその面部に設けた固定孔１６ａに旋回シャフト１１を挿通固定させて設けた係止プレート１６とで構成されている。
【００２８】
尚、第１及び第２フリクションプレート１２、１３には、その面部に複数(実施例では４個)の潤滑油貯留用の油溜孔１２ｂ・・、１３ｂ・・が設けられている。この各フリクションプレートの材料としては、耐摩耗性と機械的強度を有すれば得に限定はないが、ＳＵＳのような金属製のものであることが好ましい。
【００２９】
そして、係止プレート１６には、ヒンジシャフト７の変形部７ａをその変形部７ａの方向から挿入させ当該変形部７ａと係合させる係止溝１６ｂが設けられている。
【００３０】
旋回シャフト１１は、その両端部をかしめることにより、第１及び第２フリクションプレート１２、１３がブラケット８の両側に圧接され、ブラケット８が回転することにより、フリクショントルクが創出される仕組みである。尚、実施例１のものは、旋回シャフト１１の両端部をかしめると、固定ワッシャー１５と係止プレート１６が旋回シャフト１１に固定され、スプリングワッシャー１４が固定ワッシャー１５に固定される。旋回シャフト１１は実施例のものは一端部にフランジ部が設けられていないが、これを設けても良い。また、固定ワッシャー１５や係止プレート１６をしっかりと旋回シャフト１１の両端部へ固定するために変形孔を設け、旋回シャフト１１の両端部に変形部を設けることは任意である。さらに、第１及び第２フリクションプレート１２、１３を、その挿通孔１２ａ、１３ａを変形させることによりスプリングワッシャー１４や係止プレート１６へ係合させるように構成しても良い。また、第１フリクションプレート１２の縁部に係止片を設け、係止プレート１６に係止片を係合する係合凹部を設けることも任意である。
【００３１】
したがって、この実施例１に係る開閉装置６にあっては、ブラケット８に手差しトレイ５を取り付けてブラケット８に設けた挿通溝８ｂと係止プレート１６に設けた係止溝１６ｂの位置を合わせてヒンジシャフト７の変形部７ａへあてがい、押し込むことによって組み付けが完了し、手差しトレイ５は規定外用紙給紙部４の入口４ａに装着される。手差しトレイ５を上下方向へ開閉させると、ブラケット８がヒンジシャフト７の回りを回転し、この回転動作に伴ない旋回シャフト１１が湾曲ガイド溝８ｃの中を案内されて回転しつつ移動することにより、フリクショントルクがブラケット８の第１及び第２フリクションプレート１２、１３と圧接している部分に創出されるので、手差しトレイ５は急激に開かれることなく、バタンという衝撃音が発生することを防止することができるものである。
【００３２】
手差しトレイ５の開閉操作に伴なって湾曲ガイド溝８ｃ内をヒンジシャフト７を支点として係止プレート１６と共に旋回移動する旋回シャフト１１は、湾曲ガイド溝８ｃによってブラケット８の回転範囲が規制されることによって、手差しトレイ５の開閉範囲を規制するものであるが、手差しトレイ５のとくに全開成角度は、ブラケット８が規定外用紙給紙部４の入口４ａに設けた図示してないストッパー部に当接することによって規制するように構成しても良い。この場合でも手差しトレイ５の開成時の勢いは、フリクション機構１０によって制御されるので、開成時に大きな音を立てることはない。
【実施例２】
【００３３】
図７乃至図１１は、本発明に係る開閉装置の他の実施例を示す。図面によればこの実施例２に係る開閉装置２０は、フリクション機構２１に加えリンク機構３２が設けられている点で実施例１の開閉装置６のものと大きく異なっている。
【００３４】
その他の、手差しトレイ３５の構成や、開閉装置２０の構造が左右同じ構造のものであること、或は左右異なる構造のものであっても良いが、実施例２では右側のものについて説明すること、などは実施例１のものと同じである。また、実施例１のものと矛盾しない限り、実施例１の述べたことがこの実施例２に当て嵌るものである。
【００３５】
即ち、図面によれば、規定外用紙給紙部４の入口４ａの側部の内側には、とくに図７に示したように、変形部２２ａとフランジ部２２ｂと雄ネジ部２２ｃを有するヒンジシャフト２２が、雄ネジ部２２ｃを規定外用紙給紙部４の入口４ａの内側に設けた図示してない雌ネジ部へネジ着させることにより、規定外用紙給紙部４の入口４ａへ取り付けられている。
【００３６】
ヒンジシャフト２２は、さらにフランジ部２２ｂへ複数の取付孔を設けて、この取付孔を通した取付ネジで規定外用紙給紙部４の内側へ固定させる構成とすることもでき、規定外用紙給紙部４への取り付け方に限定はない。この点は実施例１のものと同じである。
【００３７】
ブラケット２３には、とくに図７に示したように、実施例１と同じ形状と構成の連結孔２３ａ、挿通溝２３ｂ、湾曲ガイド溝２３ｃ、及び取付孔２３ｄ、２３ｄの他に、リンクガイド溝２３ｅが湾曲ガイド溝２３ｃの近くにこの湾曲ガイド溝２３ｃと交わる方向に設けられている。その他の構成は実施例１のものと同じである。
【００３８】
フリクション機構２１は、とくに図７に示したように、湾曲ガイド溝２３ｃに挿通させた旋回シャフト２４と、この旋回シャフト２４をその各々の中心部軸方向に設けた挿通孔２６ａ、２７ａに挿通させてブラケット２３の両側に配置された第１及び第２フリクションプレート２６、２７と、第１フリクションプレート２６に接してその面部に設けた挿通孔２８ａに旋回シャフト２４を挿通させた係止プレート２８と、この係止プレート２８の外側に位置して、その各々の中心部軸方向に設けた挿通孔２９ａ、３０ａ及び固定孔３１ａに旋回シャフト２４を挿通及び固定させて設けた第３フリクションプレート２９、スプリングワッシャー３０、及び固定ワッシャー３１と、その面部に設けた変形取付孔３３ａに旋回シャフト２４の変形取付部２４ａを挿通固定させてなるリンク機構３２のリンクプレート３３とで構成されている。
【００３９】
そして、第１フリクションプレート２６はその縁部に設けた係止片２６ｂを係止プレート２８に設けた係止凹部２８ｃと係合させ、第２フリクションプレート２７はその縁部に設けた係止片２７ｂをリンクプレート３３に設けた係止凹部３３ｂと係合させている。さらに、第３フリクションプレート２９はその縁部に設けた係止片２９ｂを係止プレート２８に設けた係止凹部２８ｃと係合させている。
【００４０】
尚、第１乃至第３フリクションプレート２６、２７、２９には、その面部に複数(実施例では４個)の潤滑油貯留用の油溜孔２６ｃ・・、２７ｃ・・、２９ｃ・・が設けられている。この各フリクションプレート２６、２７、２９の材料としては、耐摩耗性と機械的強度を有すれば得に限定はないが、ＳＵＳのような金属製のものであることが好ましい。
【００４１】
そして、係止プレート２８には、実施例１のものと同じように、ヒンジシャフト２２の変形部２２ａをその変形部２２ａの方向から挿入させ当該変形部２２ａと係合させる係止溝２８ｂが設けられている。
【００４２】
リンク機構３２は、リンクプレート３３と、このリンクプレート３３に設けた取付孔３３ｃに取り付けられると共に、ブラケット２３に設けたリンクガイド溝２３ｅにその自由端側を挿入させたリンクピン３４とで構成されている。
【００４３】
フリクション機構２１の旋回シャフト２４は、その両端部をかしめることにより、第１フリクションプレート２６と第２フリクションプレート２７が、ブラケット２３の両側に圧接され、第１フリクションプレート２６と第３フリクションプレート２９は係止プレート２８の両側に圧接されるものである。旋回シャフト２４の構成は、実施例１のものと同じであるが、両端部をかしめるのではなくて、一端部にフランジ部を設け、他端部をかしめるように構成しても良い。
【００４４】
したがって、ブラケット２３を手差しトレイ３５の両側部に取付ネジ２５、２５を介して取り付け、ブラケット２３の挿通溝２３ｂと係止プレート２８の係止溝２８ｂを揃えてヒンジシャフト２２の変形部２２ａにあてがい押し込むことで、手差しトレイ３５の規定外用紙給紙部４への組み付けは完了する。
【００４５】
この組み付け状態において、手差しトレイ３５の開閉操作を行うと、ブラケット２３がヒンジシャフト２２の軸回りに回転し、同時に図８乃至図１１に示したように、リンク機構３２によって、リンクプレート３３がリンクガイド溝２３ｅに案内されることにより、リンクピン３４を支点に回転するので、ブラケット２３の両側と係止プレート２８の両側にフリクショントルクが創出されることになる。したがって、手差しトレイ３５は、急激に落下することなく閉じられることから、手差しトレイ３５のとくに開成時に大きな衝撃音が発生することを防止することができるものであり、開手差しトレイ３５の閉フィーリングがより滑らかなものとなるものである。
【００４６】
尚、以上の実施例１と２のものは、いずれもヒンジシャフト７と２２に対してブラケット８と２３および係止プレート１６、２８が脱着可能に取り付けられる構成であるが、このように構成すると、フリクショントルクが第１フリクションプレート１２或は２６及び第２フリクションプレート１３或いは２７とブラケット８或いは２３との間にも創出される上に、複写機１（事務機器）内部、或は規定外用紙給紙部４の修理、点検時に手差しトレイ５或は３５を規定外用紙給紙部４より容易に取り外すことがきるので、邪魔にならず作業がし易いという効果を奏し得る。
【００４７】
また、実施例２のもののように、リンク機構３２を設けると、手差しトレイ３５の開閉時にリンクプレート３３が回転して第３フリクションプレート２９とスプリングワッシャー３０の間にもフリクショントルク創出されることになる。
【産業上の利用可能性】
【００４８】
本発明によれば、とくに事務機器のとくに手差しトレイの開閉装置として用いて好適であり、事務機器としては、複写機、印刷機、ファクシミリ、スキャナ等のとくに手差しトレイのあるものに実施することができる。
【符号の説明】
【００４９】
１  複写機（事務機器）
５、３５  手差しトレイ
６、２０  開閉装置
７、２２  ヒンジシャフト
８、２３  ブラケット
８ｃ、２３ｃ  湾曲ガイド溝
１０、２１  フリクション機構
１１、２４  旋回シャフト
１２、２６  第１フリクションプレート
１２ａ、１３ａ、１４ａ、２６ａ、２７ａ、２８ａ、２９ａ、３０ａ  挿通孔
１３、２７  第２フリクションプレート
１４、３０  スプリングワッシャー
１５、３１  固定ワッシャー
１６、２８  係止プレート
２３ｅ  リンクガイド溝
２９  第３フリクションプレート
３２  リンク機構
３３  リンクプレート
３４  リンクピン
【図１】
0005463518.tif 000002
【図２】
0005463518.tif 000003
【図３】
0005463518.tif 000004
【図４】
0005463518.tif 000005
【図５】
0005463518.tif 000006
【図６】
0005463518.tif 000007
【図７】
0005463518.tif 000008
【図８】
0005463518.tif 000009
【図９】
0005463518.tif 000010
【図１０】
0005463518.tif 000011
【図１１】
0005463518.tif 000012